(57)【要約】【課題】  配線接続作業を容易にし、また配線接続後の配線を整理して収納することが可能なＡＶ機器の収納ラックを提供することを目的とする。【解決手段】  天板と基台２と両側板とを有するボックス状の収納ラック本体１と、該収納ラック本体１内で、前記天板の下に、取外し自在に取付けられた棚板４と、該収納ラック本体の前記基台下に取り付けられた収納ラック移動用の回動輪３とを有するＡＶ機器の収納ラックによる。【選択図】  図２
0003107084.tif 000002
【実用新案登録請求の範囲】
【請求項１】
天板と基台と両側板とを有するボックス状の収納ラック本体と、
該収納ラック本体内で、前記天板の下に、取外し自在に取付けられた棚板と、
該収納ラック本体の前記基台下に取り付けられた収納ラック移動用の回動輪とを有することを特徴とするＡＶ機器の収納ラック。
【請求項２】
前記収納ラック本体の天板と棚板のほぼ中央後方に、ＡＶ機器の配線や電源線を通す配線通し孔が形成されていることを特徴とする請求項１に記載のＡＶ機器の収納ラック。
【請求項３】
前記天板と棚板の配線通し孔は平面上、同じ位置に形成されていることを特徴とする請求項１又は２に記載のＡＶ機器の収納ラック。
【請求項４】
前記各収納部に形成された配線通し孔は、複数個であることを特徴とする請求項１乃至３のいずれかに記載のＡＶ機器の収納ラック。
【請求項５】
前記棚板の前方の両端に爪部が、また棚板の後方中央に伸縮可能な突起部が形成され、かつ前記収納ラック本体に該爪部が掛かる爪掛け部と該突起部が嵌入する孔が形成されていることを特徴とする請求項１乃至４のいずれかに記載のＡＶ機器の収納ラック。
【考案の詳細な説明】
【技術分野】
【０００１】
本考案は、ＡＶ機器（オーディオ機器やビディオ機器）を収納する収納ラック、特に大画面の画像装置用ＡＶ機器の収納ラックに関する。
【背景技術】
【０００２】
ＡＶ機器は、電源装置、ＤＶＤ装置、ＣＤ装置、画像装置、スピーカーなどの複数のコンポーネントから成り立っており、各コンポーネント間を所定の適正な配線接続をし、電源を供給することにより動作させることができる。
【０００３】
一般に、スペースの有効利用を図るため、これらのＡＶ機器のいくつかは複数段に分かれたボックスを備える収納ラックにコンパクトに収納されている。
【考案の開示】
【考案が解決しようとする課題】
【０００４】
ところで、各装置の配線接続端子は装置の裏側に設けられているので、装置の裏側に回って配線接続する必要があるので、一般に面倒で煩雑な作業が要求される。また配線接続が無事に終わっても、収納ラックからはみ出した配線が入り乱れた状態になって見苦しいという問題がある。また収納ラックの裏側では埃が溜まり易いにもかかわらず、埃を取り除き難いので、衛生上や安全上も問題である。
【０００５】
本考案はかかる点に鑑みて創作されたものであり、配線接続作業を容易にし、また配線接続後の配線を整理して収納することが可能なＡＶ機器の収納ラックを提供することを目的とする。
【課題を解決するための手段】
【０００６】
本願考案のＡＶ機器の収納ラックは、天板と基台と両側板とを有するボックス状の収納ラック本体と、該収納ラック本体内で、前記天板の下に、取外し自在に取付けられた棚板と、該収納ラック本体の前記基台下に取り付けられた収納ラック移動用の回動輪とを有することを特徴とする。
【０００７】
また、前記収納ラックにおいて、収納ラック本体の天板と棚板のほぼ中央後方に、ＡＶ機器の配線や電源線を通す配線通し孔が形成されていることを特徴とする。
【０００８】
さらに、前記収納ラックにおいて、天板と棚板の配線通し孔は平面上、同じ位置に形成されていることを特徴とする。
【０００９】
また、前記収納ラックにおいて、各収納部に形成された配線通し孔は、複数個であることを特徴とする。
【００１０】
さらに、前記収納ラックにおいて、棚板の前方の両端に爪部が、また棚板の後方中央に伸縮可能な突起部が形成され、かつ収納ラック本体に該爪部が掛かる爪掛け部と該突起部が嵌入する孔が形成されていることを特徴とする。
【考案の効果】
【００１１】
以上のように、本願考案によれば、収納ラックに移動用の回動輪を備えているので、収納ラックを動かしたり、その向きを簡単に変えたりすることができる。また、配線の長さが長すぎたときの余分の配線は、取外し自在な棚板上に収納することができる。また、各装置の電源線を集めたタップを棚板上に収納することができる。さらに収納ラックの天板や棚板に形成された配線通し孔を通して装置間の配線が行われるので、配線が収納ラックの外に出てしまうこともない。さらに、このように、本願の収納ラックから外に現れるのは、タップから出て行く一本の主電源線やアンテナ線など、最低限の配線に限られるので、非常にコンパクトに収納することができる。
【考案を実施するための最良の形態】
【００１２】
以下に、本考案の実施の形態について、添付図面を参照しながら詳細に説明する。
【００１３】
図１は、本考案の実施形態に係る収納ラックの背面斜視図であり、図２は、本考案の実施形態に係る収納ラックの一部を切欠いた背面斜視図である。図３は本考案の実施形態に係る収納ラックの棚板の取付けを説明する図である。
【００１４】
また図４は正面図、図５は背面図、図６は平面図、図７は底面図、図８は左側面図である。
【００１５】
さらに、図９は図４の正面図におけるＡ−Ａ線から見た断面図であり、図１０は図４の正面図におけるＢ−Ｂ線から見た断面図である。また、図１１は図６の平面図におけるＣ−Ｃ線から見た断面図である。
【００１６】
図において、１はＡＶ機器収納するラック本体であり、一枚の鉄板を折り曲げて形成される。１aはラック本体の天板の後方に形成された配線通し孔である。また、２はラック本体１の基台であり、この上にＡＶ機器を並列に2台載置できる。３は収納ラック移動用のキャスタであり、基台３の下の四隅に取り付けられている。
【００１７】
また、図２に示すように、棚板４の前方の両端に爪部４ｂ、４ｂが設けられ、後端中央に突起４ｃが設けられている。さらに、棚板４の後方の中央には配線通し孔４aが形成され、棚板４の後方の両端に配線を通すための切り欠き４ｄ、４ｄが形成されている。なお、突起４ｃにはスプリング機構が設けられて常時付勢されており、突起４ｃを押すと引っ込み、離すと元の位置に戻るようになっている。
【００１８】
従って、棚板４を収納ラックに取り付けるときは、図３（a）に示すように、まず棚板４の爪部４ｂを収納ラックの両側板に設けられた爪掛け部１ｂに掛ける。その後、爪掛け部１ｂを回転支軸として棚板４を水平位置まで回転させる。このとき、突起４ｃが邪魔にならないように、例えば手で押して突起４ｃを引っ込め、収納ラックの孔１ｃの位置にきたとき、手を離して突起４ｃを元に戻し、首尾よく突起４ｃを孔１ｃに挿入する。このようにして、図３（b）に示すように、棚板４は収納ラックに簡単に取り付けることもでき、逆の動作をすることにより棚板４を簡単に取外しすることができる。
【００１９】
なお、収納ラックの配線通し孔１aと棚板４の配線通し孔４aは、平面上、同じ位置に形成されている。
【００２０】
次に、図１２を参照しながら、本考案の実施形態に係る収納ラックを使用方法について説明する。
【００２１】
まず、収納ラック本体１の天板の上にプラズマテレビや液晶テレビなどの大画面画像表示装置５を置き、収納ラック本体１の基台４の上に、2台のＡＶ機器６と７を並べて置く。
【００２２】
次いで、収納ラック本体１の天板の配線通し孔１a、棚板４の配線通し孔４a、棚板４の切欠き４ｄ、４ｄを利用して、画像表示装置５や各ＡＶ機器６，７の接続端子を配線で接続する。同様に、各装置の電源線を配線通し孔１a、４a、切欠き４ｄ、４ｄを利用して、棚板４の上に置いたコンセントのタップ８に接続する。そして、タップ８の電源線９を壁のコンセント（不図示）に接続する。さらに、画像表示装置５のアンテナ線１０を配線通し孔１a、４aおよび切欠き４ｄを利用して壁の接続端子（不図示）につなぐ。そして、すべての配線接続が終了すると、棚板４を、図３に示す方法で、収納ラック本体１に固定する。
【００２３】
以上、説明したように、本考案の実施形態に係る収納ラックによれば、各ＡＶ機器６，７を収納ラック本体１に収納するとともに、配線通し孔１a、４a、切欠き４ｄ、４ｄおよび棚板４を利用することによって、配線作業が容易になる。またコンセントのタップ８や配線の一部を収納することにより、余分な配線や電源線が収納ラックからはみ出ることを防止することができる。これにより、清掃も簡単になって衛生上の問題を解決することができるとともに、ショートなどを防止して安全上の問題も解決することができる。
【００２４】
なお、実施の形態では、収納ラック本体１を1段構成にしたが、2段構成にしてもよく、考案の概念の範囲で適宜、変更が可能であることは明らかである。
【００２５】
また、実施の形態では、収納ラック本体１の天板や棚板４にそれぞれ1個の配線通し孔１a、４aを設けたが、複数個、設けてもよい。たとえば、配線通し孔を2個設け（右の孔、左の孔）、右の孔には右側に配置したＡＶ機器６の配線を通し、左の孔には左側に配置したＡＶ機器７の配線を通しすように決めておけば、配線接続の間違いを少なくすることができる。なお、電源線など、方向性が無い配線については配線がやり易い方で行えばよい。
【図面の簡単な説明】
【００２６】
【図１】本考案の実施形態に係る収納ラックの正面側斜視図である。
【図２】本考案の実施形態に係る収納ラックの一部を切欠いた背面側斜視図である。
【図３】本考案の実施形態に係る収納ラックの棚板の取付けを説明する図である。
【図４】本考案の実施形態に係る収納ラックの正面図である。
【図５】本考案の実施形態に係る収納ラックの背面図である。
【図６】本考案の実施形態に係る収納ラックの平面図である。
【図７】本考案の実施形態に係る収納ラックの底面図である。
【図８】本考案の実施形態に係る収納ラックの左側面図である。
【図９】図４のＡ-Ａ線からみた断面図である。
【図１０】図４のＢ-Ｂ線からみた断面図である。
【図１１】図６のＣ-Ｃ線からみた断面図である。
【図１２】本考案の実施形態に係る収納ラックの使用状態を説明する図である。
【符号の説明】
【００２７】
１・・・ラック本体、
２・・・基台、
１a・・・天板の配線通し孔、
１ｂ・・・爪掛け部、
１ｃ・・・孔
３・・・キャスタ（回動輪）、
４・・・棚板、
４a・・・棚板の配線通し孔、
４b・・・爪部、
４c・・・突起、
４d・・・切欠き、
５・・・画像表示装置（テレビ）、
６、７・・・ＡＶ機器、
８・・・タップ、
９・・・タップの電源線、
１０・・・アンテナ線。
【図１】
0003107084.tif 000003
【図２】
0003107084.tif 000004
【図３】
0003107084.tif 000005
【図４】
0003107084.tif 000006
【図５】
0003107084.tif 000007
【図６】
0003107084.tif 000008
【図７】
0003107084.tif 000009
【図８】
0003107084.tif 000010
【図９】
0003107084.tif 000011
【図１０】
0003107084.tif 000012
【図１１】
0003107084.tif 000013
【図１２】
0003107084.tif 000014